【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  ユーザ側に設けられる端末装置と、該ユーザ側に提供すべき情報を生成し該端末装置に送信する中継装置と、を備える情報提供システムにおいて、
前記中継装置は、前記ユーザ側に提供すべき前記情報として、ユーザ全般に固定的な基本情報と、該基本情報に付加される情報であってユーザ毎にカスタマイズ可能な付加情報と、を保持する情報保持手段を有し、
前記端末装置は、ユーザの要求に応じ前記付加情報を指示するための情報付加指示情報を前記中継装置に対して送信する付加指示送信手段を有し、
前記中継装置は、受信した前記情報付加指示情報に対応する前記付加情報を取得し、これを前記基本情報に付加させる情報加工手段をさらに備えて、その付加後の加工情報を前記端末装置に送信することを特徴とする情報提供システム。
【請求項２】  前記中継装置は、これに連携する複数の外部サーバから前記基本情報および前記付加情報を取得することを特徴とする請求項１に記載の情報提供システム。
【請求項３】  前記基本情報は地図情報であり、前記情報付加指示情報に従う前記付加情報は該地図情報による地図上に重畳して表示すべき情報であることを特徴とする請求項１又は２に記載の情報提供システム。
【請求項４】  前記端末装置は車載用の端末装置であって、前記情報付加指示情報が当該車両に関する車両情報であるとき、前記中継装置は、前記情報加工手段において前記車両情報に基づいた情報に加工することを特徴とする請求項１〜３のいずれか一項に記載の情報提供システム。
【請求項５】  前記地図情報による地図上に重畳して表示すべき情報は、時間に応じて変動するリアルタイム情報であることを特徴とする請求項１〜４のいずれか一項に記載の情報提供システム。
【請求項６】  前記中継装置は前記リアルタイム情報に対しさらにその有効期限データを付加して送信し、前記端末装置は受信して保持した該リアルタイム情報を、その有効期限に応じて消去することを特徴とする請求項５に記載の情報提供システム。
【請求項７】  前記中継装置は、各端末装置の端末属性を記憶するデータベースを有し、前記端末装置は自らを示す端末固有情報を、前記情報付加指示情報として、前記中継装置に送信し、前記中継装置は前記端末固有情報を受信し前記情報加工手段において前記端末固有情報に対応する端末属性に基づいた情報に加工して前記端末装置に前記加工情報を送信することを特徴とする請求項１〜３のいずれか一項に記載の情報提供システム。
【請求項８】  前記端末固有情報は前記端末装置に割り当てられたＩＤコードであって、前記中継装置はそのＩＤコードに対応させて前記端末属性を保持することを特徴とする請求項７に記載の情報提供システム。
【請求項９】  前記端末装置は車載用の端末装置であって、前記端末属性が当該車両に関する車両情報であるとき、前記中継装置は、前記情報加工手段において前記車両情報に基づいた情報に加工することを特徴とする請求項７に記載の情報提供システム。
【請求項１０】  前記端末属性が、前記端末装置に接続された音響機器の規模と性能を示す情報であるとき、前記中継装置は、前記情報加工手段において前記音響機器の規模と性能に基づいた情報に加工することを特徴とする請求項７に記載の情報提供システム。
【請求項１１】  前記端末属性が、前記端末装置側ユーザの嗜好情報であるとき、前記中継装置は、前記情報加工手段において前記嗜好情報に基づいた情報に加工することを特徴とする請求項７に記載の情報提供システム。
【請求項１２】  前記中継装置は前記端末固有情報に対応する課金情報を累積して保持する課金情報保持手段を備えて、該端末固有情報毎に前記加工情報の送信がある都度、前記課金情報を累積することを特徴とする請求項７〜１１のいずれか一項に記載の情報提供システム。
【請求項１３】  前記情報付加指示情報に従う前記付加情報は任意の端末装置から任意に発信される端末発信情報であることを特徴とする請求項１〜３のいずれか一項に記載の情報提供システム。
【請求項１４】  前記中継装置は、前記端末発信情報を前記端末装置毎に保持する端末発信情報保持手段を有することを特徴とする請求項１３に記載の情報提供システム。
【請求項１５】  前記端末装置は車載用の端末装置であって、前記端末発信情報は、（１）当該車両の位置情報、（２）当該車両の速度情報、（３）任意の前記端末装置から発信される公開的な報知情報および（４）複数の前記端末装置の各ユーザ同士で１つのグループを形成するとき、該グループ内のユーザ間にのみ配信される非公開のグループ共有情報、の４つの情報のうち少なくとも１つを含むことを特徴とする請求項１３に記載の情報提供システム。
【請求項１６】  前記公開的な報知情報は、特定の施設あるいはイベントに関する各種情報を含むことを特徴とする請求項１５に記載の情報提供システム。
【請求項１７】  前記端末装置は前記４つの情報のうち少なくとも１つを、当該車両の位置を示す地図に重畳させたランドマークとして、ディスプレイ上に表示することを特徴とする請求項１５に記載の情報提供システム。
【請求項１８】  前記端末装置は前記端末装置自らを示す端末固有情報を前記中継装置に送信し、前記中継装置は、前記端末固有情報と前記端末発信情報とをスペースを挟んだ一文字列として構成すると共に、該一文字列をなすデータの形態を、前記地図情報に重畳される施設情報を構成するデータの形態と同じにして前記端末装置側に送信することを特徴とする請求項１３に記載の情報提供システム。
【請求項１９】  前記中継装置は同様の構成を有する複数の中継装置からなり、これら複数の中継装置間で、前記諸情報の交換を行い、情報を共有し合うことを特徴とする請求項１〜１８のいずれか一項に記載の情報提供システム。
【請求項２０】  ユーザ側に設けられ、該ユーザ側に提供すべき情報を生成する中継装置からその生成情報を受信する端末装置であって、
ユーザ全般に固定的な基本情報と、該基本情報に付加される情報であってユーザ毎にカスタマイズ可能な付加情報とを保持する前記中継装置に対し、該ユーザの要求に応じ前記付加情報を指示するための情報付加指示情報を送信する付加指示送信手段と、
前記情報付加指示情報に対応する前記付加情報を前記基本情報に付加させるように加工する前記中継装置から、その付加後の加工情報を受信する加工情報受信手段と、
を備えることを特徴とする端末装置。
【請求項２１】  ユーザ側に提供すべき情報を生成し、これを該ユーザ側の端末装置に送信する中継装置であって、
前記ユーザ側に提供すべき前記情報として、ユーザ全般に固定的な基本情報と、該基本情報に付加される情報であってユーザ毎にカスタマイズ可能な付加情報と、を保持する情報保持手段と、
ユーザの要求に応じ前記付加情報を指示するための情報付加指示情報を前記端末装置から受信して、該情報付加指示情報に対応する前記付加情報を取得し、これを前記基本情報に付加させる情報加工手段と、
その付加後の加工情報を前記端末装置に送信する加工情報送信手段と、
を備えることを特徴とする中継装置。
【請求項２２】  通信手段を介して情報を取得可能な情報再生装置において、
前記通信手段を介して、音響機器に関する情報を情報提供装置に送信し、
前記情報提供装置から前記音響機器で再生可能なチャンネル数の音響データを取得することを特徴とする情報再生装置。
【請求項２３】  通信手段を介して情報提供装置から地図情報を取得して、取得した地図情報を表示する表示部を備えた地図表示装置において、
前記表示部に表示された地図上の地点を指定する地点指定手段と、
前記地点指定手段で指定された地点に情報を付加する情報付加手段と、
前記情報付加手段で指定地点に付加された情報を前記情報提供装置に送信することを特徴とする地図表示装置。
【請求項２４】  通信手段を介して情報提供装置から地図情報を取得して、取得した地図情報を表示する表示部を備えた地図表示装置において、
識別情報を前記情報提供装置に送信し、
前記情報提供装置から、前記識別情報に対応するグループ内で情報が付加された情報を取得することを特徴とする地図表示装置。
【請求項２５】  通信手段を介して端末装置に情報を提供可能な情報提供システムであって、
前記端末装置を識別するための識別情報を取得するステップと、
前記識別情報を所定のグループに登録する登録ステップと、
前記登録された同じグループの識別情報を有する端末装置から送られてきた付加情報を送信する送信ステップと、からなることを特徴とする情報提供方法。
【請求項２６】  情報提供装置から通信手段を介して接続される端末装置に情報を提供可能な情報提供システムであって、
前記端末装置を識別するための識別情報を取得するステップと、
前記識別情報に対応する端末装置に接続される音響システムに関する情報を取得するステップと、
前記音響システムに関する情報に基づき、音響データを対応する端末装置に送信するステップと、からなることを特徴とする情報提供方法。